(57)【要約】【課題】操作性を向上させた挟持工具を提供する。【解決手段】連結部１３で回転可能に連結された、先端部分にアゴ部１１１，１２１を有する第一のアーム１１および第二のアーム１２とを備え、アゴ部１１１およびアゴ部１２１の先端部分にはそれぞれ第一の対向面１１４および第二の対向面１２４が存在し、第一の対向面１１４および第二の対向面１２４にはそれぞれアゴ部１１１の先端から後方に向かって伸びる複数の凸条を有する縦挟み歯１１５，１２５が存在し、縦挟み歯１１５，１２５の幅は第一の対向面１１４および第二の対向面１２４の幅よりも狭く、第一の対向面１１４および第二の対向面１２４の先端において、第一の対向面１１４および第二の対向面１２４の幅方向の中心１１４１，１２４１と、縦挟み歯１１５，１２５の幅方向の中心とが、異なる位置にあるようにした。【選択図】図１
2019209442.tif 000002
【特許請求の範囲】
【請求項１】
先端部分に配置されているアゴ部と、先端部分とは逆側である後端側に配置されているハンドル部とを有する第一のアームおよび第二のアームと、
前記第一のアームおよび第二のアームを回転可能に連結する連結部と、を備える挟持工具であって、
前記第一のアームのアゴ部と前記第二のアームのアゴ部の先端部分とには、それぞれ第一の対向面および第二の対向面が存在し、
前記第一の対向面および第二の対向面には、それぞれ前記アゴ部の先端から後方に向かって伸びる複数の凸条を有する縦挟み歯が存在し、
前記縦挟み歯の幅は、前記第一の対向面および第二の対向面の幅よりも狭く、
前記第一の対向面および第二の対向面の先端において、前記第一の対向面および第二の対向面の幅方向の中心と、前記縦挟み歯の幅方向の中心とが、異なる位置にある挟持工具。
【請求項２】
前記第一の対向面および第二の対向面の先端において、前記縦挟み歯が、前記第一の対向面の幅方向の中心および第二の対向面の幅方向の中心と重ならない位置に設けられている請求項１記載の挟持工具。
【請求項３】
前記第一の対向面および第二の対向面の先端において、前記縦挟み歯の側部の一方が、前記第一の対向面の側部の一方および第二の対向面の側部の一方と接している請求項１または請求項２記載の挟持工具。
【請求項４】
前記第一のアゴ部の先端部分よりも後方となる部分の一方の側面近傍、および前記第二のアゴ部の先端部分よりも後方となる部分の一方の側面近傍には、当該第一のアゴ部と第二のアゴ部とを閉じた状態で刃先が先当たりする切断刃が設けられており、
前記第一の対向面および第二の対向面の先端において、前記縦挟み歯の幅方向の中心が、前記第一の対向面および第二の対向面の幅方向の中心に対して、前記第一のアゴ部および第二のアゴ部の切断刃が設けられていない側に設けられている請求項１から請求項３いずれか一項記載の挟持工具。
【発明の詳細な説明】
【技術分野】
【０００１】
本発明は、縦挟み歯を備えた挟持工具に関するものである。
【背景技術】
【０００２】
従来の挟持工具として、対向して設けられた左顎部と右顎部からなる顎部を有するプライヤにおいて、左顎部と右顎部との対接面の前部に、共に縦挟み歯が設けられたものが知られていた。（例えば、特許文献１参照）。このような挟持工具においては、縦挟み歯により、ネジの頭等の対象物を挟んで、対象物を引っ張ったり、回したりすることができる。
【先行技術文献】
【特許文献】
【０００３】
【特許文献１】特開２０１７−１９０９３号公報（第１頁、第１図等）
【発明の概要】
【発明が解決しようとする課題】
【０００４】
しかしながら、従来の縦挟み歯を有するプライヤ等の挟持工具においては、操作性が悪いという課題があった。例えば、ケーブル等を結束する結束バンドや針金等の、縦挟み歯の幅よりも細い対象物を引っ張る場合に、縦挟み歯で細い対象物を挟んでしまうことが多く、縦挟み歯の凹条の間に細い対象物が位置することによって細い対象物を挟めなかったり、縦挟み歯で細い対象物を挟めたとしても、縦挟み歯が挟持工具の先端から後方に向かう方向、すなわち挟持工具を引っ張る方向に延びているため、挟持工具で挟んだ対象物を引っ張る際に、対象物が縦挟み歯の伸びる方向に沿って滑って、抜けてしまうことが多かった。このため、細い対象物を挟んで引っ張るためには、アゴ部の縦挟み歯のない部分で細い対象物を挟みなおさなければならず、操作性が悪いという問題があった。
【０００５】
本発明は、上記のような課題を解消するためになされたものであり、操作性を向上させることができる挟持工具を提供することを目的とする。
【課題を解決するための手段】
【０００６】
本発明の挟持工具は、先端部分に配置されているアゴ部と、先端部分とは逆側である後端側に配置されているハンドル部とを有する第一のアームおよび第二のアームと、前記第一のアームおよび第二のアームを回転可能に連結する連結部と、を備える挟持工具であって、前記第一のアームのアゴ部と前記第二のアームのアゴ部の先端部分とには、第一の対向面および第二の対向面が存在し、前記第一の対向面および第二の対向面には、それぞれに前記アゴ部の先端から後方に向かって伸びる複数の凸条を有する縦挟み歯が存在し、前記縦挟み歯の幅は、前記第一の対向面および第二の対向面の幅よりも狭く、前記第一の対向面および第二の対向面の先端において、前記第一の対向面および第二の対向面の幅方向の中心と、前記縦挟み歯の幅方向の中心とが、異なる位置にある挟持工具である。
【０００７】
本発明者が鋭意研究したところ、プライヤ等の挟持工具で結束バンド等の細い対象物を挟んで引っ張る場合、ユーザは、対象物を挟持工具の顎部の幅方向の中心付近で挟もうとする傾向が高いが、従来の縦挟み歯を有する挟持工具においては、アゴ部の先端において、縦挟み歯の幅方向の中心と、アゴ部の幅方向の中心とが一致していることによって、縦挟み歯が幅方向の中心に位置しているため、縦挟み歯で細い対象物を挟んでしまう頻度が高くなり、その結果、操作性を悪くなっているという考えに至った。本発明は、このような考えのもとになされたものであり、上記のような構成により、縦挟み歯が対向面の幅方向の中心からずれて位置することとなり、細い対象物が対向面の縦挟み歯が設けられていない領域で挟まれる可能性を高くして、操作性を向上させることができる。
【０００８】
また、本発明の挟持工具は、前記挟持工具において、前記第一の対向面および第二の対向面の先端において、前記縦挟み歯が、前記第一の対向面の幅方向の中心および第二の対向面の幅方向の中心と重ならない位置に設けられている挟持工具である。
【０００９】
かかる構成により、第一の対向面および第二の対向面の先端の、縦挟み歯が設けられていない領域の幅を、全体の幅の半分よりも広くして、操作性をより向上させることができる。
【００１０】
また、本発明の挟持工具は、前記第一の対向面および第二の対向面の先端において、前記縦挟み歯の側部の一方が、前記第一の対向面の側部の一方および第二の対向面の側部の一方と接している挟持工具である。
【００１１】
かかる構成により、第一の対向面および第二の対向面の先端において、第一の対向面および第二の対向面の、縦挟み歯から遠い方の側部と、この側部と近い縦挟み歯の側部との間の距離を広くして、細い対象物等を挟みやすくするとともに、第一の対向面および第二の対向面の、縦挟み歯に近い方の側部と、この側部と近い縦挟み歯１１５および縦挟み歯１２５の側部との間の距離をなくして、細い対象物等を挟むことが困難な領域が、第一の対向面および第二の対向面と縦挟み歯との間に存在しないようにすることができる。
【００１２】
また、本発明の挟持工具は、前記第一のアゴ部の先端部分よりも後方となる部分の一方の側面近傍、および前記第二のアゴ部の先端部分よりも後方となる部分の一方の側面近傍には、当該第一のアゴ部と第二のアゴ部とを閉じた状態で刃先が先当たりする切断刃が設けられており、前記第一の対向面および第二の対向面の先端において、前記縦挟み歯の幅方向の中心が、前記第一の対向面および第二の対向面の幅方向の中心に対して、前記第一のアゴ部および第二のアゴ部の切断刃が設けられていない側に設けられている挟持工具である。
【００１３】
かかる構成により、挟持工具を切断刃がユーザの正面に近い側となるよう把持した場合に、第一の対向面および第二の対向面の先端部分の、縦挟み歯の両側に位置する縦挟み歯が設けられていない領域のうちの広い方の領域が目視しやすくなり、細い対象物を挟んだりする際の操作性を向上させることができる。
【発明の効果】
【００１４】
本発明の挟持工具によれば、操作性を向上させることができる。
【図面の簡単な説明】
【００１５】
【図１】本発明の実施の形態における挟持工具のアゴ部近傍の斜視図（図１（ａ））、第一の対向面の平面図（図１（ｂ））、および第二の対向面の平面図（図１（ｃ））
【図２】同挟持工具の正面図（図２（ａ））、右側面図（図２（ｂ））、平面図（図２（ｃ））、および左側面図（図２（ｄ））
【図３】同挟持工具の第一の変形例の、正面図（図３（ａ））、第一の対向面の平面図（図３（ｂ））、および第二の対向面の平面図（図３（ｃ））
【図４】同挟持工具の第二の変形例の、正面図（図４（ａ））、第一の対向面の平面図（図４（ｂ））、および第二の対向面の平面図（図４（ｃ））
【発明を実施するための形態】
【００１６】
以下、挟持工具の実施形態について図面を参照して説明する。本実施の形態においては、挟持工具が、連結部がスライド機構を有していないプライヤである場合を例に挙げて説明する。なお、実施の形態において同じ符号を付した構成要素は同様の動作を行うので、再度の説明を省略する場合がある。
【００１７】
（実施の形態）
図１は、本実施の形態におけるプライヤの、アゴ部を広げた状態の、アゴ部近傍の斜視図（図１（ａ））、第一のアゴ部の第一の対向面の表面を示す平面図（図１（ｂ））、および第二のアゴ部の第二の対向面の表面を示す平面図（図１１１（ｃ））である。
【００１８】
図２は、本実施の形態におけるプライヤの、アゴ部を閉じた状態の、拡大した正面図（図２（ａ））、右側面図（図２（ｂ））、平面図（図２（ｃ））、および左側面図（図２（ｄ））である。
【００１９】
プライヤ１は、第一のアーム１１、第二のアーム１２、連結部１３を有している。
【００２０】
第一のアーム１１は、先端１１ａと、先端１１ａとは逆側である後端１１ｂとを有している。第一のアーム１１は、第一のアゴ部１１１と第一のハンドル部１１２とを有している。第一のアゴ部１１１は第一のアーム１１の先端１１ａ部分に配置され、第一のハンドル部１１２は第一のアーム１１の後端１１ｂ側に配置されている。第一のアゴ部１１１と第一のハンドル部１１２との間には、貫通孔１１３が設けられている。
【００２１】
第二のアーム１２は、先端１２ａと、先端１２ａとは逆側である後端１２ｂとを有している。第二のアーム１２は、第二のアゴ部１２１と第二のハンドル部１２２とを有している。第二のアゴ部１２１は第二のアーム１２の先端１２ａ部分に配置され、第二のハンドル部１２２は第二のアーム１２の後端１２ｂ側に配置されている。第二のアゴ部１２１と第二のハンドル部１２２との間には、貫通孔１２３が設けられている。
【００２２】
連結部１３は、貫通孔１１３および貫通孔１２３と、貫通孔１１３および貫通孔１２３に挿通され、第一のアーム１１と第二のアーム１２とを回転可能に連結する連結軸１３１とで構成されており、第一のアーム１１と第二のアーム１２とを回転可能に連結する。連結軸１３１が、どのように貫通孔１１３および貫通孔１２３に挿通された状態でプライヤ１に取付けられているかは問わない。連結軸１３１は、一端が第一のアーム１１に固定されていてもよい。この場合、第一のアーム１１の貫通孔１１３は省略してもよい。また、連結軸１３１が第一のアーム１１に固定される代わりに、第二のアーム１２に固定されていてもよい。なお、第一のアーム１１と第二のアーム１２とを回転可能に連結するものであれば、連結部１３がどのような構造を有しているかは問わない。
【００２３】
第一のアーム１１、第二のアーム１２、および連結軸１３１は、例えば、鉄等の金属で構成される。ただし、第一のアーム１１、第二のアーム１２、および連結軸１３１の材質は問わない。例えば、これらの１以上は、強化プラスチック等の樹脂で構成されていてもよい。
【００２４】
第一のアゴ部１１１の先端部分には、第一の対向面１１４が存在し、第二のアゴ部１２１の先端部分には、第二の対向面１２４が存在している。第一の対向面１１４および第二の対向面１２４は、例えば、第一のアゴ部１１１と第二のアゴ部１２１とを閉じた状態で互いに対向するよう設けられた面である。
【００２５】
第一のアゴ部１１１の先端部分よりも後方となる部分の一方の側面近傍、および第二のアゴ部１２１の先端部分よりも後方となる部分の一方の側面近傍には、それぞれ第一のアゴ部１１１と第二のアゴ部１２１とを閉じた状態で刃先同士が先当たりする切断刃１３２が設けられている。ただし、切断刃１３２は、省略してもよい。第一のアゴ部１１１の側面とは、例えば、第一のアゴ部１１１の幅方向に位置する面である。かかることは、第二のアゴ部１２１の側面についても同様である。ここでの幅および幅方向とは、第一のアーム１１および第二のアーム１２の長手方向に対して垂直な方向の長さである。また、幅方向は、第一のアーム１１および第二のアーム１２の長手方向に対して垂直な方向である。
【００２６】
第一の対向面１１４には、縦挟み歯１１５が存在している。縦挟み歯１１５は、第一のアゴ部１１１の先端から後方に向かって伸びる２本の凸条１１５１を有する。隣接する２つの凸条１１５１の間、および２本の凸条１１５１の外側には、それぞれ凹条１１５２が設けられている。ここでは、縦挟み歯１１５を、２本の凸条１１５１および３本の凹条１１５２で構成されているものと考える場合について説明する。ただし、２本の凸条１１５１や、２本の縦挟み歯１１５１とこれらで挟まれた部分とを、縦挟み歯１１５と考えてもよい。
【００２７】
第二の対向面１２４には、縦挟み歯１２５が存在している。縦挟み歯１２５は、第二のアゴ部１２１の先端から後方に向かって伸びる２本の凸条１２５１を有する。隣接する２つの凸条１２５１の間、および２本の凸条１２５１の外側には、それぞれ凹条１２５２が設けられている。ここでは、縦挟み歯１２５を、２本の凸条１２５１および３本の凹条１２５２で構成されているものと考える場合について説明する。ただし、２本の凸条１２５１や、２本の縦挟み歯１２５１とこれらで挟まれた部分とを、縦挟み歯１１５と考えてもよい。
【００２８】
縦挟み歯１１５と縦挟み歯１２５とは、対向する位置に設けられており、同じ幅を有している。縦挟み歯１１５は、第一の対向面１１４の幅の半分以下の幅を有しており、第一の対向面１１５の先端において、第一の対向面１１４の幅方向の中心１１４１と重ならない位置に設けられている。縦挟み歯１１５は、例えば、第一の対向面１１４の先端１１４ｂにおいて、第一の対向面１１４の幅の半分以下の幅を有していてもよく、長手方向の全ての位置において、第一の対向面１１４の幅の半分以下の幅を有していてもよい。縦挟み歯１１５は、例えば、長手方向の全ての位置において、第一の対向面１１４の幅方向の中心１１４１と重ならない位置に設けられていてもよい。縦挟み歯１１５は、第一の対向面１１４の先端１１４ｂにおいて、幅方向の端が、第一の対向面１１４の幅方向の端のいずれとも接しないよう配置されている。例えば、縦挟み歯１１５は、長手方向の全ての位置において、幅方向の端である側部１１５ａが、第一の対向面１１４の幅方向１１４ａの端である側部１１４ａと接しないよう配置されてもよい。
【００２９】
同様に、縦挟み歯１２５は、第二の対向面１２４の幅の半分以下の幅を有しており、第二の対向面１１５の先端において、第二の対向面１２４の幅方向の中心１２４１と重ならない位置に設けられている。縦挟み歯１２５は、例えば、第二の対向面１２４の先端１２４ｂにおいて、第二の対向面１２４の幅の半分以下の幅を有していてもよく、長手方向の全ての位置において、第二の対向面１２４の幅の半分以下の幅を有していてもよい。縦挟み歯１２５は、例えば、長手方向の全ての位置において、第二の対向面１２４の幅方向の中心１２４１と重ならない位置に設けられていてもよい。縦挟み歯１２５は、第二の対向面１２４の先端１２４ｂにおいて、幅方向の端が、第二の対向面１２４の幅方向の端のいずれとも接しないよう配置されている。例えば、縦挟み歯１２５は、長手方向の全ての位置において、幅方向の端である側部１２５ａが、第二の対向面１２４の幅方向の端である側部１２４ａと接しないよう配置されてもよい。
【００３０】
２つの凸条１１５１と、２つの凸条１２５１とは、幅方向の配列順番が同じもの同士が、第一のアゴ部１１１と第二のアゴ部１２１とを閉じた状態で、それぞれの突端が正対するように設けられている。なお、第一のアゴ部１１１と第二のアゴ部１２１とを閉じた状態で、先端近傍においてそれぞれの突端同士が近接して配置されるように２つの凸条１１５１と、２つの凸条１２５１とを設けることが好ましい。凸条１１５１および凸条１２５１の突端は、凸条１１５１および凸条１２５の稜線等と考えてもよい。
【００３１】
ここでは、第一の対向面１１４の先端１１４ｂおよび第二の対向面１２４の先端１２４ｂにおいて、縦挟み歯１１５および縦挟み歯１２５の幅方向の中心が、いずれも、第一の対向面１１４の幅方向の中心１１４１および第二の対向面１２４の幅方向の中心１２４１に対して、第一のアゴ部１１１および第二のアゴ部１２１の切断刃１３２が設けられていない側に設けられている場合について説明する。例えば、切断刃１３２が右側に位置するよう、プライヤ１を正面から見た場合に、縦挟み歯１１５および縦挟み歯１２５がプライヤ１の先端の左側寄りに位置するよう、縦挟み歯１１５および縦挟み歯１２５を設けている。このようにすることで、第一の対向面１１４の先端部分および第二の対向面１２４の先端部分においては、縦挟み歯１１５および縦挟み歯１２５が設けられていない領域のうちの広い方の領域が第一のアゴ部１１１および第二のアゴ部１２１の切断刃１３２が設けられている側に位置することとなる。通常、ユーザは、切断刃１３２が設けられている側面がユーザの正面に近い側となるようプライヤ１を把持する（例えば、右手で把持する場合には切断刃１３２が左側に、また、左手で把持する場合には切断刃３１３が右側に位置するよう、把持する）ことが多いため、このように把持した場合に、第一の対向面１１４および第二の対向面１２４の先端部分の、縦挟み歯１１５および縦挟み歯１２５が設けられていない領域のうちの広い方の領域がユーザの正面に近い側に配置することとなり、目視しやすくなり、細い対象物を挟みやすくして操作性を向上させることができる。ただし、縦挟み歯１１５および縦挟み歯１２５が、いずれも、切断刃１３２が設けられていない側面よりも、切断刃１３２が設けられている側面に近い位置に設けられているようにしてもよい。
【００３２】
なお、縦挟み歯１１５と縦挟み歯１２５とは、異なる幅を有していてもよい。また、縦挟み歯１１５と縦挟み歯１２５との幅方向の位置は、ネジの頭等を挟むことが可能な程度ずれていてもよい。
【００３３】
なお、縦挟み歯１１５および縦挟み歯１２５がそれぞれ有する凸条１１５１および凸条１２５１の数は、２本に限定されるものではなく、２または３以上であればその数は問わない。また、縦挟み歯１１５が有する凸条１１５１の数と、縦挟み歯１２５が有する凸条１２５１の数とは異なっていてもよい。
【００３４】
なお、縦挟み歯１１５は、第一の対向面１１４に設けられた第一のアゴ部１１１の先端から後方に伸びる凹部（図示せず）の内面に設けられた、第一のアゴ部１１１の先端から後方に伸びる複数の凸条で構成されていてもよい。かかることは、縦挟み歯１２５についても同様である。また、縦挟み歯１１５の２つの凸条１１５１と、縦挟み歯１２５の２つの凸条１２５１とは、少なくとも先端側が、第一のアゴ部１１１と第二のアゴ部１２１とを閉じた状態において、第一のアゴ部１１１および第二のアゴ部１２１の先端から離れるにつれて、両者の距離（例えば、正対する突端間の距離）が離れていくように傾斜しているようにしてもよい。
【００３５】
第一の対向面１１４の縦挟み歯１１５以外の領域、具体的には、縦挟み歯１１５の両側に位置する領域や、縦挟み歯１１５よりも後方の領域等には、前後方向に配列された第一のアゴ部１１１の幅方向に伸びる複数の凸条１１６が設けられている。複数の凸条１１６は、第一の対向面１１４の縦挟み歯１１５以外の領域に設けられた横挟み歯と考えてもよい。同様に、第二の対向面１２４の縦挟み歯１２５以外の領域、具体的には、縦挟み歯１２５の両側に位置する領域や、縦挟み歯１２５よりも後方の領域等には、第二のアゴ部１２１の幅方向に伸びる複数の凸条１２６が設けられている。複数の凸条１２６は、第二の対向面１２４の縦挟み歯１２５以外の領域に設けられた横挟み歯と考えてもよい。
【００３６】
複数の凸条１１６と複数の凸条１２６とは、前後方向に位置ずれした状態で配列されており、第一のアゴ部１１１の凸条１１６は、第一のアゴ部１１１と第二のアゴ部１２１とを閉じた状態で、第二のアゴ部１２１の凸条１２６に隣接する凹条に入り込むよう配置されており、第二のアゴ部１２１の凸条１２６は、第一のアゴ部１１１と第二のアゴ部１２１とを閉じた状態で、第一のアゴ部１１１の凸条１１６に隣接する凹条に入り込むよう配置されている。ただし、複数の凸条１１６および複数の凸条１２６の配置等は、このような配置に限定されるものではなく、例えば、凸条１１６と凸条１２６とは、第一のアゴ部１１１と第二のアゴ部１２１とを閉じた状態で正対するよう配置されていてもよい。
【００３７】
なお、第一の対向面１１４の縦挟み歯１１５以外の領域には、凸条１１６が設けられていない領域、すなわち横挟み歯が設けられていない一以上の領域が存在していてもよい。また、第一の対向面１１４の縦挟み歯１１５以外の領域には、凸条１１６が設けられていなくてもよい。第一の対向面１１４の縦挟み歯１１５の両側の領域、特に両側の領域のうちの先端部分は、細い対象物等を挟みやすい表面形状等を有していることが好ましい。なお、かかることは、第二の対向面１２４の縦挟み歯１２５以外の領域についても同様である。
【００３８】
本実施の形態のプライヤ１においては、第一の対向面１１４および第二の対向面１２４の先端において、縦挟み歯１１５および縦挟み歯１２５が、第一の対向面１１４の幅方向の中心１１４１および第二の対向面１２４の幅方向の中心１２４１と重ならない位置に設けられており、幅方向の中心には、縦挟み歯１１５および縦挟み歯１２５が設けられていないことから、結束バンド等の細い対象物を挟んで引っ張る際に、ユーザが、この細い対象物を、特に意識せずに、第一のアゴ部１１１と第二のアゴ部１２１の先端側の幅方向の中心付近で挟んだとしても、縦挟み歯１１５および縦挟み歯１２５が設けられていない領域で挟む可能性を高くなる。これにより、細い対象物を縦挟み歯１１５および縦挟み歯１２５が設けられていない領域で挟む頻度を高くすることができ、細い対象物を適切に挟んで引っ張れる頻度が高くなる。この結果、操作性を向上させることができる。なお、細い対象物とは、細い物体であってもよく、ある物体の細い部分であってもよい。
【００３９】
また、縦挟み歯で挟もうとするネジ頭等の対象物が壁面等の近くに位置しており、対象物の中心と壁面と間の距離が、アゴ部の対向面の先端の幅の半分未満である場合、従来の挟持工具のように、アゴ部の対向面の先端において、縦挟み歯の幅方向の中心が、対向面の幅方向の中心と重なる位置に設けられている場合、縦挟み歯で対象物を挟もうとすると、対向面の先端の側部が壁面等に当たってしまうため、縦挟み歯で対象物を挟むことができない。これに対し、本実施の形態のプライヤ１においては、第一の対向面１１４および第二の対向面１２４の先端において、縦挟み歯１１５および縦挟み歯１２５が、第一の対向面１１４の幅方向の中心１１４１および第二の対向面１２４の幅方向の中心１２４１と重ならない位置に設けられているため、縦挟み歯１１５および縦挟み歯１２５で挟もうとするネジ頭等の対象物が壁面等の近くに位置しており、この対象物の中心と壁面と間の距離が、第一の対向面１１４および第二の対向面１２４の先端の幅の半分未満であったとしても、第一の対向面１１４の２つの側部１１４ａのうちの縦挟み歯１１５に近い方と、縦挟み歯１１５の幅方向の中心との距離、および第二の対向面１２４の２つの側部１２４ａのうちの縦挟み歯１２５に近い方の側部と、縦挟み歯１２５の幅方向の中心との距離が、第一の対向面１１４および第二の対向面１２４の幅の半分未満となることから、対象物の中心と壁面と間の距離が、第一の対向面１１４の縦挟み歯１１５に近い方の側部１１４ａと縦挟み歯１１５の幅方向の中心との距離以上であって、第二の対向面１２４の縦挟み歯１２５に近い方の側部１２４ａと縦挟み歯１２５の幅方向の中心との距離以上であれば、縦挟み歯１１５および縦挟み歯１２５で挟むことが可能となり、操作性を向上させることができる。
【００４０】
以上、本実施の形態においては、第一の対向面１１４および第二の対向面１２４の先端において、縦挟み歯１１５および縦挟み歯１２５を、第一の対向面１１４の幅方向の中心および第二の対向面１２４の幅方向の中心と重ならない位置に設けたことにより、縦挟み歯１１５および縦挟み歯１２５で細い対象物を挟む頻度を低減させて、操作性を向上させることができる。
【００４１】
（変形例）
図３は、本実施の形態の第一の変形例のプライヤのアゴ部を閉じた状態の、拡大した正面図（図３（ａ））、第一の対向面の平面図（図３（ｂ））、および第二の対向面の平面図（図３（ｂ））である。
【００４２】
図４は、本実施の形態の第二の変形例のプライヤのアゴ部を閉じた状態の、拡大した正面図（図４（ａ））、第一の対向面の平面図（図４（ｂ））、および第二の対向面の平面図（図４（ｂ））である。
【００４３】
上記実施の形態においては、第一の対向面１１４および第二の対向面１２４の先端において、縦挟み歯１１５および縦挟み歯１２５が、第一の対向面１１４の幅方向の中心および第二の対向面１２４の幅方向の中心と重ならない位置に設けられているようにした場合について説明したが、縦挟み歯１１５および縦挟み歯１２５の幅方向の中心が、第一の対向面１１４および第二の対向面１２４の先端において、第一の対向面１１４および第二の対向面１２４の幅方向の中心と、異なる位置にあれば、縦挟み歯１１５および縦挟み歯１２５と、第一の対向面１１４および第二の対向面１２４との位置関係は、上記の位置関係に限定されるものではない。
【００４４】
例えば、図３（ａ）、図３（ｂ）、および図３（ｃ）に示すように、縦挟み歯１１５および縦挟み歯１２５が、第一の対向面１１４の先端の幅方向の中心１１４１および第二の対向面１２４の先端の幅方向の中心１２４１と重なる位置に配置されるとともに、第一の対向面１１４の幅方向の中心１１４１と縦挟み歯１１５の幅方向の中心１１５５とが異なる位置にあり、かつ、第二の対向面１２４の幅方向の中心１２４１と縦挟み歯１２５の幅方向の中心１２５５とが異なる位置にあるようにしてもよい。このようにすることで、従来のように、第一の対向面１１４の幅方向の中心１１４１および第二の対向面１２４の幅方向の中心１２４１が、縦挟み歯１１５の幅方向の中心１１５５および縦挟み歯１２５の幅方向の中心１２５５と一致している場合に比べて、縦挟み歯１１５および縦挟み歯１２５が設けられていない領域が、第一の対向面１１４の幅方向の中心１１４１および第二の対向面１２４の幅方向の中心１２４１の近くに配置されることとなるため、ユーザが細い対象物を第一の対向面１１４と第二の対向面１２４の中心近傍で挟む際に、縦挟み歯１１５および縦挟み歯１２５が設けられていない領域で細い対象物を挟む可能性を高くして、操作性を向上させることができる。
【００４５】
また、第一の対向面１１４の幅方向の中心１１４１と縦挟み歯１１５の幅方向の中心１１５５とが異なる位置に配置され、かつ、第二の対向面１２４の幅方向の中心１２４１と縦挟み歯１２５の幅方向の中心１２５５とが異なる位置に配置されることで、第一の対向面１１４の縦挟み歯１１５に近い方の側部１１４ａと縦挟み歯１１５の幅方向の中心との距離、および第二の対向面１２４の縦挟み歯１２５に近い方の側部１２４ａと、縦挟み歯１２５の幅方向の中心との距離が、第一の対向面１１４および第二の対向面１２４の先端の幅の半分未満となることから、縦挟み歯１１５および縦挟み歯１２５で挟もうとするネジの頭等の対象物の中心と壁面等と間の距離が、第一の対向面１１４および第二の対向面１２４の先端の幅の半分未満の距離であっても、第一の対向面１１４の縦挟み歯１１５に近い方の側部１１４ａと縦挟み歯１１５の幅方向の中心との距離以上であって、第二の対向面１２４の縦挟み歯１２５に近い方の側部１２４ａと、縦挟み歯１２５の幅方向の中心との距離以上であれば、縦挟み歯１１５および縦挟み歯１２５で挟むことが可能となる。これにより、操作性を向上させることができる。
【００４６】
ただし、第一の対向面１１４の縦挟み歯１１５が設けられていない部分の幅方向の長さ、および第二の対向面１２４および縦挟み歯１２５が設けられていない部分の幅方向の長さを広くし、第一の対向面１１４および第二の対向面１２４の側部のうちの、縦挟み歯１１５および縦挟み歯１２５に近い方の側部と、縦挟み歯１１５および縦挟み歯１２５との距離を短くすることが好ましいことから、第一の対向面１１４および第二の対向面１２４の先端において、縦挟み歯１１５および縦挟み歯１２５の幅方向の中心と、第一の対向面１１４の幅方向の中心および第二の対向面１２４の幅方向の中心との距離は十分に離れていることが好ましく、上記実施の形態のように、縦挟み歯１１５および縦挟み歯１２５が、第一の対向面１１４の幅方向の中心および第二の対向面１２４の幅方向の中心と重ならない位置に設けられていることが好ましい。
【００４７】
また、図４（ａ）、図４（ｂ）、および図４（ｃ）に示すように、第一の対向面１１４および第二の対向面１２４の先端において、縦挟み歯１１５の側部１１５ａの一方を、第一の対向面１１４の側部１１４ａの一方と接しているようにし、かつ、縦挟み歯１２５の側部１２５ａの一方を、第二の対向面１２４の側部１２４ａの一方と接しているようにしてもよい。このようにすることで、第一の対向面１１４および第二の対向面１２４の先端において、第一の対向面１１４の縦挟み歯１１５から遠い方の側部１１４ａと、縦挟み歯１１５との間の距離、および第二の対向面１２４の縦挟み歯１２５から遠い方の側部１２４ａと、縦挟み歯１２５との間の距離を広くして、細い対象物等を挟みやすくするとともに、第一の対向面１１４の縦挟み歯１１５から近い方の側部１１４ａと、縦挟み歯１１５との間の距離、および第二の対向面１２４の縦挟み歯１２５から近い方の側部１２４ａと、縦挟み歯１２５との間の距離をなくして、細い対象物等を挟むことが困難な領域が、第一の対向面１１４の側部１１４ａと縦挟み歯１１５との間および第二の対向面１２４の側部１２４ａと縦挟み歯１１５との間に生じないようにすることができる。なお、ここでの縦挟み歯１１５の側部１１５ａの一方および縦挟み歯１２５の側部１２５ａの一方は正対する側部である。また、ここでの第一の対向面１１４の側部１１４ａの一方および第二の対向面１２４の側部１２４ａの一方も、正対する側部である。
【００４８】
なお、上記実施の形態においては、挟持工具が、連結部がスライド機構を有していないプライヤ１である場合について説明したが、挟持工具は、連結部がスライド機構を有するいわゆるコンビネーションプライヤや、ウォーターポンププライヤ等のプライヤであってもよい。また、挟持工具はプライヤに限定されるものではない。
【００４９】
本発明は、以上の実施の形態に限定されることなく、種々の変更が可能であり、それらも本発明の範囲内に包含されるものであることは言うまでもない。
【産業上の利用可能性】
【００５０】
以上のように、本発明にかかる挟持工具は、特に、縦挟み歯を有する挟持工具として有用である。
【符号の説明】
【００５１】
１  プライヤ
１１  第一のアーム
１１ａ  先端
１１ｂ  後端
１２  第二のアーム
１２ａ  先端
１２ｂ  後端
１３  連結部
１１１  第一のアゴ部
１１２  第一のハンドル部
１１３  貫通孔
１１４  第一の対向面
１１５  第一の縦挟み歯
１１６  凸条
１２１  第二のアゴ部
１２２  第二のハンドル部
１２３  貫通孔
１２４  第二の対向面
１２５  第二の縦挟み歯
１２６  凸条
１３１  連結軸
１３１  切断刃
１１５１  凸条
１１５２  凹条
１２５１  凸条
１２５２  凹条
【図１】
2019209442.tif 000003
【図２】
2019209442.tif 000004
【図３】
2019209442.tif 000005
【図４】
2019209442.tif 000006
【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
先端部分に配置されているアゴ部と、先端部分とは逆側である後端側に配置されているハンドル部とを有する第一のアームおよび第二のアームと、
前記第一のアームおよび第二のアームを回転可能に連結する連結部と、を備える挟持工具であって、
前記第一のアームのアゴ部と前記第二のアームのアゴ部の先端部分とには、それぞれ第一の対向面および第二の対向面が存在し、
前記第一の対向面および第二の対向面には、それぞれ前記アゴ部の先端から後方に向かって伸びる複数の凸条を有する縦挟み歯が存在し、
前記縦挟み歯の幅は、前記第一の対向面および第二の対向面の幅よりも狭く、
前記第一の対向面および第二の対向面の先端において、前記第一の対向面および第二の対向面の幅方向の中心と、前記縦挟み歯の幅方向の中心とが、異なる位置にあり、
前記第一の対向面および第二の対向面の先端において、前記縦挟み歯の側部の一方が、前記第一の対向面の側部の一方および第二の対向面の側部の一方と接していない挟持工具。
【請求項２】
前記第一の対向面および第二の対向面の先端において、前記縦挟み歯が、前記第一の対向面の幅方向の中心および第二の対向面の幅方向の中心と重ならない位置に設けられている請求項１記載の挟持工具。
【請求項３】
前記第一のアゴ部の先端部分よりも後方となる部分の一方の側面近傍、および前記第二のアゴ部の先端部分よりも後方となる部分の一方の側面近傍には、当該第一のアゴ部と第二のアゴ部とを閉じた状態で刃先が先当たりする切断刃が設けられており、
前記第一の対向面および第二の対向面の先端において、前記縦挟み歯の幅方向の中心が、前記第一の対向面および第二の対向面の幅方向の中心に対して、前記第一のアゴ部および第二のアゴ部の切断刃が設けられていない側に設けられている請求項１または請求項２記載の挟持工具。